(57)【要約】【課題】浴室内をサウナ空間とするサウナ装置において、湿度センサを使用せず、浴室の床や壁面からの冷輻射の影響を防止し、快適な状態とすべく温度、湿度が制御されるサウナ装置を提供することを目的としている。【解決手段】空気を加温手段３により加温した空気を浴室内に送風する加温空気送風手段５ａと、加湿手段４により加湿た空気を浴室内に送風する加湿空気送風手段５ｂと、浴室内の温度を検出する浴室内温度検出手段９と、浴室外の温度を検出する機体外温度検出手段１０と、加湿手段４が加湿に使用しなかった加湿水の温度を検出する余剰加湿水温度検出手段１１を備え、浴室内温度検出手段９、機体外温度検出手段１０、余剰加湿水温度検出手段１１が検出した温度に基づいて加温および加湿量を調整することで、湿度センサを使用せず、冷輻射を防止して、快適な温度、湿度に制御されるサウナ装置を提供できる。【選択図】図１
2007097637.tif 000002
【特許請求の範囲】
【請求項１】
空気を加温する加温手段と、前記加温手段により加温された空気を浴室内に送風する加温空気送風手段と、吹出し口と、微細水滴を発生させその発生した微細水滴の気液分離を行い空気を加湿する微細水滴加湿手段と、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に前記吹出し口から浴室内に吹出すサウナ装置において、前記加温手段および前記微細水滴加湿手段を前記浴室内温度検出手段により検出された温度と前記余剰加湿水温度検出手段により検出された温度に基づいて浴室内の温度および湿度が所定内に入るように制御することを特徴とするサウナ装置。
【請求項２】
浴室内の空気を吸込む吸込み口を備え、加温空気送風手段により浴室内の空気を吸込むことを特徴とした請求項１記載のサウナ装置。
【請求項３】
加湿空気送風手段と加温空気送風手段を兼用した加温加湿空気送風手段を備えたことを特徴とする請求項１または２記載のサウナ装置。
【請求項４】
水または温水を噴射する噴射手段を備え、前記噴射手段により浴室内に水または温水を噴射することを特徴とする請求項１乃至３のいずれかに記載のサウナ装置。
【請求項５】
空気を加温する加温手段と、前記加温手段により加温された空気を浴室内に送風する加温空気送風手段と、吹出し口と、水または温水を噴射する噴射手段を備え、浴室内の温度を検出する浴室内温度検出手段と、前記噴射手段から噴射された水または温水の一部を回収し排水する排水手段と、排水の温度を余剰加湿水の温度として検出する余剰加湿水温度検出手段を備え、前記加温空気送風手段により加温された空気を浴室内に前記吹出し口から浴室内に吹出すサウナ装置において、前記加温手段および前記噴射手段を前記浴室内温度検出手段により検出された温度と前記余剰加湿水温度検出手段により検出された温度に基づいて浴室内の温度および湿度が所定内に入るように制御することを特徴とするサウナ装置。
【請求項６】
浴室内の湿度の調整を加湿空気送風手段または加温加湿空気送風手段の制御により調整することを特徴とする請求項１乃至４のいずれかに記載のサウナ装置。
【請求項７】
浴室内の湿度の調整を微細水滴加湿手段と噴射手段のうち少なくとも一方へ給水する給水量の制御により調整することを特徴とする請求項１乃至５のいずれかに記載のサウナ装置。
【請求項８】
装置本体の外側に浴室外の周囲温度を検出する機体外温度検出手段を備え、前記機体外温度検出手段により検出された温度から浴室の床や壁面からの冷輻射の影響度合いを判定し、その影響度合いを浴室内の温度と湿度の調整に反映させることを特徴とする請求項１乃至５のいずれかに記載のサウナ装置。
【請求項９】
機体外温度検出手段により検出された温度データはサウナ運転の開始時に取り込み、保持する処理が行われ、保持された温度データを機体外温度データとすることを特徴とする請求項８に記載のサウナ装置。
【請求項１０】
サウナ空間を使用者の好みに応じて変化させるために温度設定切替入力手段と、浴室内の温度と湿度が所定内に入るように制御する制御データを複数の温度設定毎にもったことを特徴とする請求項８に記載のサウナ装置。
【請求項１１】
温度設定切替入力手段により、温度設定を切り替えた際には、切り替えた内容に応じて温度設定切替制御を行うことを特徴とする請求項１０に記載のサウナ装置。
【請求項１２】
サウナ運転開始時は浴室内への加湿を抑え、加温を行うサウナ起動制御を行い、その後、浴室内の温度と湿度が所定内に入るように制御する温度・湿度調節処理を行うことを特徴とする請求項１乃至５のいずれかに記載のサウナ装置。
【請求項１３】
サウナ起動制御を行い、サウナ準備完了となったことを判定するサウナ準備完了判定手段により、サウナ準備完了と判定した際にはサウナ起動制御を終了し、浴室内の温度と湿度が所定内に入るように制御する温度・湿度調節処理を行うことを特徴とする請求項１２に記載のサウナ装置。
【請求項１４】
サウナ運転開始時に前回サウナ運転を終了して今回サウナ運転を開始するまでの間隔が一定時間内であるかどうかによりサウナ起動制御の必要、不要の判定を行うサウナ運転間隔判定処理を行うことを特徴とする請求項１２に記載のサウナ装置。
【請求項１５】
余剰加湿水温度が設定した温度を超えないようにすることを特徴とする請求項１乃至５のいずれかに記載のサウナ装置。
【請求項１６】
余剰加湿水温度が設定した温度を超えないように、加湿空気送風手段または加温加湿空気送風手段の制御による調整、微細水滴加湿手段と噴射手段のうち少なくとも一方へ給水する給水量の制御による調整のうち、少なくとも一方の制御により調整を行うことを特徴とする請求項１５に記載のサウナ装置。
【請求項１７】
余剰加湿水温度の上昇速度が設定された値を超えないようにすることを特徴とする請求項１５または１６に記載のサウナ装置。
【発明の詳細な説明】
【技術分野】
【０００１】
本発明は、浴室内の温度と湿度を調整することにより、浴室内をサウナ空間とするサウナ装置に関するものである。
【背景技術】
【０００２】
従来、この種のサウナ装置は、浴室内の温度および湿度を検出し、検出結果に基づき、快適とされる温度及び湿度範囲になるよう加温制御及び加湿制御を行うものが知られている（例えば、特許文献１参照）。
【０００３】
以下、そのサウナ装置について図１２を参照しながら説明する。
【０００４】
図に示すように、装置本体１０１は吸気口１０２を通して浴室１０３内の空気を吸引し、吹出し口１０４を通して空気を吹出す循環風路１０５と、循環風路１０５に通風を行う循環ファン１０６と、循環風路１０５を通る空気に対し加温を行う加温手段１０７としての熱交換器１０８と、熱交換器１０８に配管１０９を介して温水の循環供給を行う加熱手段１１０と、熱交換器１０８に温水を放散させるミスト噴出手段１１１としての噴出ノズル１１２と、噴出ノズル１１２に温水の供給を行うための温水給水路１１３と、熱交換器１０８の下部に放散された温水を回収するドレンパン１１４と、ドレンパン１１４内に水や所定温度の湯を供給する水等供給手段１１５と、水や所定温度の湯の供給および遮断を行う電磁弁１１６と、ドレンパン１１４の排出口１１４ａと噴出ノズル１１２を連結する温水給水路１１３の途中に、ドレンパン１１４に回収された温水を再び噴出ノズル１１２に戻す循環ポンプ１１７と、ドレンパン１１４の排出口１１４ａと外部排出口１１８を連結する外部排水管１１９の途中に排水電磁弁１２０を備え、排水電磁弁１２０を開くことにより外部にドレンパン１１４内の排水を行う排水手段１２１と、浴室内の温度を検知する室温センサ１２２、浴室内の湿度を検知する湿度センサ１２３、ドレンパン内の水温を検知する水温センサ１２４、室温センサ１２２、湿度センサ１２３、水温センサ１２４に基づき循環ファン１０６、電磁弁１１６、排水電磁弁１２０の開閉、および循環ポンプ１１７の作動を制御する制御手段１２５等を備えている。そして、浴室をサウナ空間として使用する場合には、温水供給路１１３を通じて供給される温水をミストとして噴出ノズル１１２から噴出させ、かつ循環ファン１０６を作動させ、浴室１０３内の温度および湿度が適切な状態に維持されるように電磁弁１１６の開閉や循環ポンプ１１７のオン・オフを制御手段１２５により制御して熱交換器１０８に熱媒としての温水を循環供給し、この熱交換器１０８により加温および加湿された循環空気を吹出し口１０４から浴室１０３内に吹出すようにしている。
【特許文献１】特開２００４−２３２９３３号公報（第４−７頁、第１−５図）
【発明の開示】
【発明が解決しようとする課題】
【０００５】
このような従来の方法では、湿度センサは感湿膜に高分子材料を用いられ抵抗変化や静電容量の変化を利用した電子式湿度センサがよく用いられているが、例えば、サウナ運転を行い、結露に至るような高い湿度空間とした後に一旦運転を終了し、すぐに再度運転を開始した場合において、素子の検知部分が濡れた状態でかつ短時間では乾きにくい為、実際の湿度変化に追従できずに誤検知しやすく、また、サウナ運転のように高い湿度空間に繰り返し晒されるような環境下においてはセンサ寿命が短命化することが知られている、つまり故障しやすいという課題があり、湿度センサを使用することなく温度、湿度が制御され、快適なサウナ空間とするサウナ装置を提供することが要求されている。
【０００６】
本発明は、このような従来の課題を解決するものであり、湿度センサを使用することなく浴室内の温度および湿度が適切な状態に維持されるよう制御することができるサウナ装置を提供することを目的としている。
【０００７】
また、室温センサ、湿度センサに基づく制御では限られた範囲で浴室内の状態に応じることは可能だが、季節や設置場所などによる環境条件や、使用者の操作条件などにより浴室の床や壁面の温度が異なり、特に浴室内の温度は高くても床や壁面の温度が低い場合では床や壁面からの冷輻射の影響により人体から熱を奪う為、体感上寒く感じ、さらには、使用者の嗜好や気分、体調などにより個人差がある為、壁面からの冷輻射の影響、および使用者の体感上における個人差に対して適切な制御ができないという課題があり、浴室の床や壁面からの冷輻射の影響を防止して温度、湿度が制御され、快適なサウナ空間とするサウナ装置を提供することが要求される。
【０００８】
本発明は、このような従来の課題を解決するものであり、環境条件、あるいは使用者の操作条件など浴室の床や壁面からの冷輻射の影響を防止して浴室内の温度および湿度が適切な状態に維持されるよう制御することができるサウナ装置を提供することを目的としている。
【課題を解決するための手段】
【０００９】
本発明のサウナ装置は上記目的を達成するために、空気を加温する加温手段と、前記加温手段により加温された空気を浴室内に送風する加温空気送風手段と、吹出し口と、微細水滴を発生させその発生した微細水滴の気液分離を行い空気を加湿する微細水滴加湿手段と、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に前記吹出し口から浴室内に吹出すサウナ装置において、前記加温手段および前記微細水滴加湿手段を前記浴室内温度検出手段により検出された温度と前記余剰加湿水温度検出手段により検出された温度に基づいて浴室内の温度および湿度が所定内に入るように制御することを特徴としたものである。
【００１０】
この手段により、湿度センサを使用することなく浴室内の温度および湿度が適切な状態に維持されるよう制御することができるサウナ装置を提供できる。
【００１１】
また、第２の課題解決手段は、浴室内の空気を吸込む吸込み口を備え、加温空気送風手段により浴室内の空気を吸込むことを特徴としたものである。
【００１２】
この手段により、湿度センサを使用することなく浴室内の温度および湿度が適切な状態に維持されるよう制御することができ、省エネ効果のあるサウナ装置を提供できる。
【００１３】
また、第３の課題解決手段は、加湿空気送風手段と加温空気送風手段を兼用した加温加湿空気送風手段を備えたことを特徴としたものである。
【００１４】
この手段により、湿度センサを使用することなく浴室内の温度および湿度が適切な状態に維持されるよう制御することができ、加湿と加温の送風を１つの送風手段で行うことができるサウナ装置を提供できる。
【００１５】
また、第４の課題解決手段は、水または温水を噴射する噴射手段を備え、前記噴射手段により浴室内に水または温水を噴射することを特徴としたものである。
【００１６】
この手段により、湿度センサを使用することなく浴室内の温度および湿度が適切な状態に維持されるよう制御することができ、水滴を浴びながら発汗効果の高いサウナ空間を楽しむ使い方と、サウナ入浴をしながら読書やテレビ鑑賞を楽しむなどリラクゼーション効果のあるサウナ空間を楽しむ使い方を使用者の嗜好に合わせて選択することができるサウナ装置を提供できる。
【００１７】
また、第５の課題解決手段は、空気を加温する加温手段と、前記加温手段により加温された空気を浴室内に送風する加温空気送風手段と、吹出し口と、水または温水を噴射する噴射手段を備え、浴室内の温度を検出する浴室内温度検出手段と、前記噴射手段から噴射された水または温水の一部を回収し排水する排水手段と、排水の温度を余剰加湿水の温度として検出する余剰加湿水温度検出手段を備え、前記加温空気送風手段により加温された空気を浴室内に前記吹出し口から浴室内に吹出すサウナ装置において、前記加温手段および前記噴射手段を前記浴室内温度検出手段により検出された温度と前記余剰加湿水温度検出手段により検出された温度に基づいて浴室内の温度および湿度が所定内に入るように制御することを特徴としたものである。
【００１８】
この手段により、湿度センサを使用することなく浴室内の温度および湿度が適切な状態に維持されるよう制御することができ、水滴を浴びながら発汗効果の高いサウナ空間を楽しむことができるサウナ装置を提供できる。
【００１９】
また、第６の課題解決手段は、浴室内の湿度の調整を加湿空気送風手段または加温加湿空気送風手段の制御により調整することを特徴としたものである。
【００２０】
この手段により、浴室内への加湿量を前記加湿空気送風手段または加温加湿空気送風手段の回転数の増減により簡単に制御することができるサウナ装置を提供できる。
【００２１】
また、第７の課題解決手段は、浴室内の湿度の調整を微細水滴加湿手段と噴射手段のうち少なくとも一方へ給水する給水量の制御により調整することを特徴としたものである。
【００２２】
この手段により、浴室内への加湿量を前記微細水滴加湿手段と前期噴射手段のうち少なくとも一方へ給水する給水量の増減により簡単に制御することができるサウナ装置を提供できる。
【００２３】
また、第８の課題解決手段は、装置本体の外側に浴室外の周囲温度を検出する機体外温度検出手段を備え、前記機体外温度検出手段により検出された温度から浴室の床や壁面からの冷輻射の影響度合いを判定し、その影響度合いを浴室内の温度と湿度の調整に反映させることを特徴としたものである。
【００２４】
この手段により、浴室の床や壁面からの冷輻射の影響を防止して浴室内の温度および湿度が適切な状態に維持されるよう制御することができるサウナ装置を提供できる。
【００２５】
また、第９の課題解決手段は、第８の課題解決手段において、機体外温度検出手段により検出された温度データはサウナ運転の開始時に取り込み、保持する処理が行われ、保持された温度データを機体外温度データとすることを特徴としたものである。
【００２６】
この手段により、浴室の床や壁面からの冷輻射の影響を防止して浴室内の温度および湿度が適切な状態に維持されるよう制御することができるサウナ装置を提供できる。
【００２７】
また、第１０の課題解決手段は、サウナ空間を使用者の好みに応じて変化させるために温度設定切替入力手段と、浴室内の温度と湿度が所定内に入るように制御する制御データを複数の温度設定毎にもったことを特徴としたものである。
【００２８】
この手段により、浴室の床や壁面からの冷輻射の影響を防止し、かつ影響を受ける使用者の嗜好や気分、体調など個人差にも応じることができ、浴室内の温度および湿度が適切な状態に維持されるよう制御することができるサウナ装置を提供できる。
【００２９】
また、第１１の課題解決手段は、第１０の課題解決手段において、温度設定切替入力手段により、温度設定を切り替えた際には、切り替えた内容に応じて温度設定切替制御を行うことを特徴としたものである。
【００３０】
この手段により、浴室の床や壁面からの冷輻射の影響を防止し、かつ影響を受ける使用者の嗜好や気分、体調など個人差にも応じることができ、設定を切り替えた際には、すばやく切り替えたサウナ空間にすることができ、浴室内の温度および湿度が適切な状態に維持されるよう制御することができるサウナ装置を提供できる。
【００３１】
また、第１２の課題解決手段は、サウナ運転開始時は浴室内への加湿を抑え、加温を行うサウナ起動制御を行い、その後、浴室内の温度と湿度が所定内に入るように制御する温度・湿度調節処理を行うことを特徴としたものである。
【００３２】
この手段により、サウナ運転の開始時から浴室の床や壁面からの冷輻射の影響を防止して立ち上がり専用の制御を行うことができ、前記サウナ起動制御終了後、浴室内の温度および湿度が適切な状態に維持されるよう制御することができるサウナ装置を提供できる。
【００３３】
また、第１３の課題解決手段は、第１２の課題解決手段において、サウナ起動制御を行い、サウナ準備完了となったことを判定するサウナ準備完了判定手段により、サウナ準備完了と判定した際にはサウナ起動制御を終了し、浴室内の温度と湿度が所定内に入るように制御する温度・湿度調節処理を行うことを特徴としたものである。
【００３４】
この手段により、サウナ運転の開始時から浴室の床や壁面からの冷輻射の影響を防止して立ち上がり専用の制御を適切に行うことができ、前記サウナ起動制御終了後、浴室内の温度および湿度が適切な状態に維持されるよう制御することができるサウナ装置を提供できる。
【００３５】
また、第１４の課題解決手段は、第１２の課題解決手段において、サウナ運転開始時に前回サウナ運転を終了して今回サウナ運転を開始するまでの間隔が一定時間内であるかどうかによりサウナ起動制御の必要、不要の判定を行うサウナ運転間隔判定処理を行うことを特徴としたものである。
【００３６】
この手段により、サウナ運転の開始時から浴室の床や壁面からの冷輻射の影響を防止して立ち上がり専用の制御を必要に応じて行うことができ、浴室内の温度および湿度が適切な状態に維持されるよう制御することができるサウナ装置を提供できる。
【００３７】
また、第１５の課題解決手段は、余剰加湿水温度が設定した温度を超えないようにすることを特徴としたものである。
【００３８】
この手段により、簡便に余剰加湿水温度の保護動作を行うことができるサウナ装置を提供できる。
【００３９】
また、第１６の課題解決手段は、第１５の課題解決手段において、余剰加湿水温度が設定した温度を超えないように、加湿空気送風手段または加温加湿空気送風手段の制御による調整、微細水滴加湿手段と噴射手段のうち少なくとも一方へ給水する給水量の制御による調整のうち、少なくとも一方の制御により調整を行うことを特徴としたものである。
【００４０】
この手段により、簡便に余剰加湿水温度の保護動作を行うことができるサウナ装置を提供できる。
【００４１】
また、第１７の課題解決手段は、余剰加湿水温度の上昇速度が設定された値を超えないようにすることを特徴としたものである。
【００４２】
この手段により、正確かつ簡便に余剰加湿水温度の保護動作を行うことができるサウナ装置を提供できる。
【発明の効果】
【００４３】
本発明によれば湿度センサを使用することなく浴室内の温度と湿度を精度よく適切な状態とするよう制御することができるサウナ装置を提供できる。
【００４４】
また、本発明によれば浴室の床や壁面からの冷輻射の影響を防止して、快適なサウナ空間とするサウナ装置を提供できる。
【００４５】
また、本発明によれば使用者の嗜好や気分、体調にあわせて浴室内の温度と湿度を制御する各人に使い勝手のよいサウナ装置を提供できる。
【００４６】
また、本発明によれば簡便に余剰加湿水温度の保護動作を行うことができるサウナ装置を提供できる。
【発明を実施するための最良の形態】
【００４７】
本発明の請求項１記載の発明は、空気を加温する加温手段と、前記加温手段により加温された空気を浴室内に送風する加温空気送風手段と、吹出し口と、微細水滴を発生させその発生した微細水滴の気液分離を行い空気を加湿する微細水滴加湿手段と、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に前記吹出し口から浴室内に吹出すサウナ装置において、前記加温手段および前記微細水滴加湿手段を前記浴室内温度検出手段により検出された温度と前記余剰加湿水温度検出手段により検出された温度に基づいて浴室内の温度および湿度が所定内に入るように制御することを特徴とするサウナ装置であり、浴室内の湿度は、乾湿球湿度計の原理を利用して水の蒸発による気化熱により湿球温度に近い温度となる余剰加湿水温度を検出し、湿度センサを使用することなく浴室内の温度および湿度を精度よく調整することができるサウナ装置を提供できるという作用を有する。
【００４８】
また、請求項２記載の発明は、浴室内の空気を吸込む吸込み口を備え、加温空気送風手段により浴室内の空気を吸込むことを特徴とするサウナ装置であり、浴室内の空気を循環させることで加温加湿された空気の損失が抑えられ、省エネ効果のあるサウナ装置を提供できるという作用を有する。
【００４９】
また、請求項３記載の発明は、加湿空気送風手段と加温空気送風手段を兼用した加温加湿空気送風手段を備えたことを特徴とするサウナ装置であり、加湿と加温の送風を１つの送風手段で行うことができるサウナ装置を提供できるという作用を有する。
【００５０】
また、請求項４記載の発明は、水または温水を噴射する噴射手段を備え、前記噴射手段により浴室内に水または温水を噴射することを特徴とするサウナ装置であり、噴射手段により直接水滴を浴びると体に熱が伝わりやすく発汗しやすくなり、発汗効果の高いサウナ空間を楽しむ使い方ができ、一方微細水滴加湿手段による加湿ではサウナ空間にあっても目に見えない微細水滴を噴射するため透明感があり、サウナ入浴をしながら読書やテレビ鑑賞を楽しむなどリラクゼーション効果のあるサウナ空間を楽しむ使い方ができ、使用者の嗜好に合わせてサウナ空間を選択することが可能な各人に使い勝手のよいサウナ装置を提供できるという作用を有する。
【００５１】
また、請求項５記載の発明は、空気を加温する加温手段と、前記加温手段により加温された空気を浴室内に送風する加温空気送風手段と、吹出し口と、水または温水を噴射する噴射手段を備え、浴室内の温度を検出する浴室内温度検出手段と、前記噴射手段から噴射された水または温水の一部を回収し排水する排水手段と、排水の温度を余剰加湿水の温度として検出する余剰加湿水温度検出手段を備え、前記加温空気送風手段により加温された空気を浴室内に前記吹出し口から浴室内に吹出すサウナ装置において、前記加温手段および前記噴射手段を前記浴室内温度検出手段により検出された温度と前記余剰加湿水温度検出手段により検出された温度に基づいて浴室内の温度および湿度が所定内に入るように制御することを特徴とするサウナ装置であり、浴室内の湿度は、乾湿球湿度計の原理を利用して水の蒸発による気化熱により湿球温度に近い温度となる余剰加湿水温度を検出し、湿度センサを使用することなく浴室内の温度および湿度を精度よく調整することができるサウナ装置を提供できるという作用を有する。
【００５２】
また、請求項６記載の発明は、浴室内の湿度の調整を加湿空気送風手段または加温加湿空気送風手段の制御により調整することを特徴とするサウナ装置であり、浴室内への加湿量を増やす場合には、微細水滴加湿手段により加湿された空気を前記加湿空気送風手段または前記加温加湿空気送風手段の回転数を上げることにより送風量を増加させ、浴室内への加湿量を減らす場合には、加湿手段により加湿された空気を前記加湿空気送風手段または前記加温加湿空気送風手段の回転数を下げることにより送風量を減少させることで浴室内への加湿量を調整することとなり、浴室内への加湿量を前記加湿空気送風手段または前記加温加湿空気送風手段の回転数の増減により簡単に制御することができるサウナ装置を提供できるという作用を有する。
【００５３】
また、請求項７記載の発明は、浴室内の湿度の調整を微細水滴加湿手段と噴射手段のうち少なくとも一方へ給水する給水量の制御により調整することを特徴とするサウナ装置であり、浴室内への加湿量を増やす場合には、給水調整弁を開方向に動作させ、浴室内への加湿量を減らす場合には、給水調整弁を閉方向に動作させることで、浴室内への加湿量を調整することとなり、浴室内への加湿量を前記微細水滴加湿手段と前記噴射手段のうち少なくとも一方へ給水する給水量の増減により簡単に制御することができるサウナ装置を提供できるという作用を有する。
【００５４】
また、請求項８記載の発明は、装置本体の外側に浴室外の周囲温度を検出する機体外温度検出手段を備え、前記機体外温度検出手段により検出された温度から浴室の床や壁面からの冷輻射の影響度合いを判定し、その影響度合いを浴室内の温度と湿度の調整に反映させることを特徴とするサウナ装置であり、浴室内温度が高くかつ機体外温度が低い場合は、浴室全体がサウナ運転を開始してからまだ十分に暖まってない場合が想定され、浴室の床や壁面からの冷輻射の影響度合いが大きいと判定し、また、浴室内温度が高くかつ機体外温度が高い場合は、浴室全体が十分に暖まっている場合や、サウナ運転や暖房運転など浴室の温度を上げる効果の運転を終了してから間がない場合が想定され、浴室の床や壁面からの冷輻射の影響度合いが小さいと判定し、また、浴室内温度が低くかつ機体外温度が低い場合は、冬場のサウナ運転の開始時である状態が想定され、浴室の床や壁面からの冷輻射の影響度合いが大きいと判定し、また、浴室内温度が低くかつ機体外温度が高い場合は、夏場のサウナ運転の開始時である状態が想定され、浴室の床や壁面からの冷輻射の影響度合いが小さいと判定し、浴室の床や壁面からの冷輻射の影響度合いを浴室内の温度と湿度の調整に各々の状態により加味することで、浴室の床や壁面からの冷輻射の影響を防止して浴室内の温度および湿度が適切な状態に維持されるよう制御することができるサウナ装置を提供できるという作用を有する。
【００５５】
また、請求項９記載の発明は、請求項８記載の発明において、機体外温度検出手段により検出された温度データはサウナ運転の開始時に取り込み、保持する処理が行われ、保持された温度データを機体外温度データとすることを特徴とするサウナ装置であり、サウナ運転の開始時に取り込んで保持した機体外温度データを用いることで、浴室の床や壁面からの冷輻射の影響度合いを判定する際、判定した結果が容易に切り替らないようハンチングすることを防止することになり、浴室の床や壁面からの冷輻射の影響を防止して浴室内の温度および湿度が適切な状態に維持されるよう制御することができるサウナ装置を提供できるという作用を有する。
【００５６】
また、請求項１０記載の発明は、サウナ空間を使用者の好みに応じて変化させるために温度設定切替入力手段と、浴室内の温度と湿度が所定内に入るように制御する制御データを複数の温度設定毎にもったことを特徴とするサウナ装置であり、例えば、使用者がサウナ運転にて入浴している際、暑くなってきたため少し弱めのサウナ空間にしたい場合、温度設定を温度設定切替手段により下げてやることで、温度設定を切り替える前に対して、加温や加湿を弱めるような制御データを参照して指令値を出力することになり、浴室の床や壁面からの冷輻射の影響を防止し、かつ影響を受ける使用者の嗜好や気分、体調など個人差にも応じることができ、浴室内の温度および湿度が適切な状態に維持されるよう制御することができるサウナ装置を提供できるという作用を有する。
【００５７】
また、請求項１１記載の発明は、請求項１０記載の発明において、温度設定切替入力手段により、温度設定を切り替えた際には、切り替えた内容に応じて温度設定切替制御を行うことを特徴とするサウナ装置であり、温度設定を切り替えた際に、切り替えた温度設定の状態に早く近づけるために切り替え後の温度設定の制御データより過剰な制御データを参照して出力することとなり、浴室の床や壁面からの冷輻射の影響を防止し、かつ影響を受ける使用者の嗜好や気分、体調など個人差にも応じることができ、浴室内の温度および湿度が適切な状態に維持されるよう制御することができるサウナ装置を提供できるという作用を有する。
【００５８】
また、請求項１２記載の発明は、サウナ運転開始時は浴室内への加湿を抑え、加温を行うサウナ起動制御を行い、その後、浴室内の温度と湿度が所定内に入るように制御する温度・湿度調節処理を行うことを特徴とするサウナ装置であり、例えば、浴室内温度が高くても、浴室全体が完全に温まってなく床や壁面からの冷輻射の影響が大きい場合には、加湿しすぎると人体から熱が奪われ体感上寒く感じる為、浴室全体が完全に温まるまで加湿を行わない、または寒く感じない程度に加湿を弱め、浴室の加温に重点をおいた制御を行うこととなり、サウナ運転の開始時から浴室の床や壁面からの冷輻射の影響を防止して立ち上がり専用の制御を行うことができ、前記サウナ起動制御終了後、浴室内の温度と湿度を精度よく調整する温度・湿度調節処理を行うよう制御することができるサウナ装置を提供できるという作用を有する。
【００５９】
また、請求項１３記載の発明は、請求項１２記載の発明において、サウナ起動制御を行い、サウナ準備完了となったことを判定するサウナ準備完了判定手段により、サウナ準備完了と判定した際にはサウナ起動制御を終了し、浴室内の温度と湿度が所定内に入るように制御する温度・湿度調節処理を行うことを特徴とするサウナ装置であり、浴室内温度や機体外温度の条件によりサウナ準備完了であるか否かを判定し、立ち上がり専用の制御時間を適切に終了することとなり、サウナ運転の開始時から浴室の床や壁面からの冷輻射の影響を防止して立ち上がり専用の制御を適切に行うことができ、前記サウナ起動制御終了後、浴室内の温度と湿度を精度よく調整する温度・湿度調節処理を行うよう制御することができるサウナ装置を提供できるという作用を有する。
【００６０】
また、請求項１４記載の発明は、請求項１２記載の発明において、サウナ運転開始時に前回サウナ運転を終了して今回サウナ運転を開始するまでの間隔が一定時間内であるかどうかによりサウナ起動制御の必要、不要の判定を行うサウナ運転間隔判定処理を行うことを特徴とするサウナ装置であり、サウナ運転を行った間隔が短ければサウナ空間に近い状態と想定されるので、サウナ起動制御を行わず浴室内の温度と湿度を精度よく調整する温度・湿度調節処理を行うよう制御し、間隔が長ければサウナ起動制御を行い、サウナ起動制御終了後に浴室内の温度と湿度を精度よく調整する温度・湿度調節処理を行うよう制御することができるサウナ装置を提供できるという作用を有する。
【００６１】
また、請求項１５記載の発明は、余剰加湿水温度が設定した温度を超えないようにすることを特徴とするサウナ装置であり、余剰加湿水温度を浴室内の温度と湿度の制御に用いていることから、余剰加湿水温度が設定した値以上であれば余剰加湿水の温度を下げるような保護制御を兼用できる為、簡便に余剰加湿水温度の保護動作を行うことができるサウナ装置を提供できるという作用を有する。
【００６２】
また、請求項１６記載の発明は、請求項１５記載の発明において、余剰加湿水温度が設定した温度を超えないように、加湿空気送風手段または加温加湿空気送風手段の制御による調整、微細水滴加湿手段と噴射手段のうち少なくとも一方へ給水する給水量の制御による調整のうち、少なくとも一方の制御により調整を行うことを特徴とするサウナ装置であり、余剰加湿水温度を浴室内の温度と湿度の制御に用いていることから、余剰加湿水温度が設定した値以上であれば余剰加湿水の温度を下げるような保護制御を兼用できる為、簡便に余剰加湿水温度の保護動作を行うことができるサウナ装置を提供できるという作用を有する。
【００６３】
また、請求項１７記載の発明は、請求項１５記載の発明において、余剰加湿水温度の上昇速度が設定された値を超えないようにすることを特徴とするサウナ装置であり、余剰加湿水温度の設定した値に加え、上昇速度を監視することで、上昇速度が速ければ設定値未満であっても余剰加湿水温度が高くなりすぎると判断し、保護動作を行うこととなり、正確かつ簡便に余剰加湿水温度の保護動作を行うことができるサウナ装置を提供できるという作用を有する。
【００６４】
以下、本発明の実施の形態について図面を参照しながら説明する。
【００６５】
（実施の形態１）
本発明の実施の形態１のサウナ装置について図１、図２、図３、図４、図５、図６、図７、図８を参照しながら説明する。
【００６６】
図１は基本構成を示す概念図、図２はサウナ装置の全体動作を示すフローチャート、図３はサウナ運転動作の一例を示すフローチャート、図４、５、６、７、８はサウナ運転で実行される各処理の詳細を示すフローチャートである。
【００６７】
図１に示すように、本発明の実施の形態１のサウナ装置は、筐体１内部に浴室２内を加温する加温手段３と、浴室２内を加湿する加湿手段４と、加温手段３により加温された空気を浴室内に送風する加温空気送風手段５ａと、加湿手段４により加湿された空気を浴室内に送風する加湿空気送風手段５ｂと、送風の為の吸込み口６および吹出し口７と、加湿手段４で加湿に使用されなかった余剰加湿水を排出する排水手段８と、浴室内の温度を検出する浴室内温度検出手段９と、浴室外の温度を検出する機体外温度検出手段１０と、加湿に使用されなかった余剰加湿水の温度を検出する余剰加湿水温度検出手段１１と、浴室２内の空気を吸引して排気ダクト１２を通して屋外に排気する換気ファン１３で構成される換気手段１４と、加温手段３や加湿手段４、換気手段１４などを制御する制御手段１５と、運転動作や設定などの指示を行う遠隔操作装置１６を備えている。
【００６８】
加温手段３は、熱源としての給湯機１７から温水循環回路１８を介して温水の循環供給を受ける熱交換器１９と、前記熱交換器１９に水または温水の供給を断続する加温用熱動弁２０が、吸込み口６を通して浴室２内の空気を吸引し、吹出し口７を通して空気を吹出す循環風路２１内にあり、加温空気送風手段５ａにより通風が行われることにより、循環風路２１を通る空気を加温する。
【００６９】
加湿手段４は、浴室内に直接水または温水を噴射することで加湿を行う直接加湿手段４ａと、水または温水を噴射する前に微細な水滴にしてから浴室内に加湿を行う微細水滴加湿手段４ｂから成り、直接加湿手段４ａは、後述する給水手段２２により供給された水または温水を直接浴室内に噴射手段である噴射ノズル２３ａにより噴射し、吸込み口６を通して浴室２内の空気を吸引し、吹出し口７を通して空気を吹出す循環風路２１を、加温空気送風手段５ａにより通風が行われることで加湿を行い、微細水滴加湿手段４ｂは、後述する給水手段２２により供給された水または温水を噴射手段である噴射ノズル２３ｂにより水または温水を噴射し、噴射された水または温水を水破砕手段２４である加湿空気送風手段５ｂに衝突させて破砕することで細かな水滴群にし、水破砕手段２４からの水滴群から大粒の水滴を気液分離手段であるエリミネータ２５により分離除去した後に浴室内に放出し、吸込み口６を通して浴室２内の空気を吸引し、吹出し口７を通して空気を吹出す循環風路２１を、加温空気送風手段５ａにより通風が行われることで加湿を行う。給水手段２２は、水または温水などを供給する水等供給手段２６と、熱源としての給湯機１７から温水循環回路１８を介して循環供給されている温水と水等供給手段２６からの水または温水との熱交換を行う水熱交換器２７と、前記水熱交換器２７に水または温水の供給を断続する加湿用熱動弁２８が、噴射ノズル２３ａおよび噴射ノズル２３ｂのそれぞれの噴射ノズルへ分岐された給水管２９を介して接続されている。給水管２９の分岐された一方の途中には、噴射ノズル２３ａへの給水を調整する給水調整弁３０ａが設けられている。また、もう一方へ分岐されたの途中には、噴射ノズル２３ｂへの給水を調整する給水調整弁３０ｂが設けられている。また、噴射の温水温度を検知する噴射水温センサ３１が水熱交換器から給水管２９の分岐するまでの間に設けられている。水等供給手段２６からの水または温水と給湯機１７から循環供給されている温水と水熱交換器２７により熱交換された水または温水が、給水管２９を介して流れ、給水調整弁３０ａ、給水調整弁３０ｂにより噴射ノズル２３ａおよび噴射ノズル２３ｂへの給水が調整される。エリミネータ２５は樹脂製、金属製、あるいはセラミック製の多孔質物体などで構成されている。
【００７０】
加温空気送風手段５ａは、クロスフローファンやシロッコファンなどである。ファンを回転させることで、吸込み口６を通して浴室２内の空気を吸引し、加温手段３および加湿手段４で加温、加湿された空気を吹出し口７を通して浴室２内に吹出す方向に取り付けられており、回転数を後述の制御手段１５により制御することで通風量が変化することとなる。
【００７１】
加湿空気送風手段５ｂは、クロスフローファンやシロッコファンなどである。ファンを回転し噴射ノズル２３ｂにより噴射された水または温水を衝突させることで細かな水滴群にすることとなり、回転数を後述の制御手段１５により制御することで細かな水滴群の量が変化することとなる。
【００７２】
排水手段８は、加湿に使用されなかった余剰加湿水や、浴室２内を加湿するのに適さない、すなわち噴射温度センサ３１の検出した温度が低い場合、サウナ運転を終えた後筐体１内に残った水または温水を筐体１の外部へ排水管３２を介して排出するものである。
【００７３】
浴室内温度検出手段９は、吸込み口６近傍に設けられており、浴室内の温度を検出し、機体外温度検出手段１０は、筐体１に着接されており、機体外の温度を検出し、余剰加湿水温度検出手段１１は、排水手段８の排水管３２に着接されており、余剰加湿水の温度を検出する。
【００７４】
浴室内温度検出手段９、機体外温度検出手段１０、余剰加湿水温度検出手段１１、噴射水温センサ３１は、温度に対して抵抗値が変化するサーミスタやリニア抵抗器及び白金測温抵抗体などの温度センサ、または、２種類の異なる金属線を先端で接合し、両端の温度差に応じて発生する微弱な電圧を利用した熱電対である。
【００７５】
制御手段１５は、マイクロコンピュータなどを利用した制御基板により、後述の遠隔操作装置１６からの入力情報、加温空気送風手段５ａ、加湿空気送風手段５ｂの回転数情報、浴室内温度検出手段９、機体外温度検出手段１０、余剰加湿水温度検出手段１１からの温度情報を入力とし、その情報に応じて加温空気送風手段５ａ、換気ファン１３、加温用熱動弁２０、水破砕手段２４、加湿用熱動弁２８、給水調整弁３０ａおよび３０ｂなどに対し、リレーの開閉やオンオフ信号、回転数指令信号などを出力することで各々動作させ、加温手段３や加湿手段４、換気手段１４などを制御することとなる。
【００７６】
遠隔操作装置１６は、浴室２内や台所、脱衣室などに設けられた有線方式または電波や光、その他媒体を利用した無線方式の制御手段１５と双方向に通信可能なリモコンで、各操作スイッチの操作により制御手段１５に運転モードの指令を行うこととなる。遠隔操作操作装置１６には、乾燥運転モードを指令する乾燥運転スイッチ１６ａ、暖房運転モードを指令する暖房運転スイッチ１６ｂ、換気運転モードを指令する換気運転スイッチ１６ｃ、涼風運転モードを指令する涼風運転スイッチ１６ｄ、ミストサウナ運転モードおよびクリアミストサウナを指令するサウナ運転スイッチ１６ｅなどが設けられている。前記制御手段１５は前記遠隔操作操作装置１６の指令に基づいて、乾燥運転スイッチ１６ａが押されると乾燥運転を実行し、暖房運転スイッチ１６ｂが押されると暖房運転を実行し、換気運転スイッチ１６ｃが押されると換気運転を実行し、涼風運転スイッチ１６ｄが押されると涼風運転を実行し、サウナ運転スイッチ１６ｅが１回押されるとミストサウナ運転を実行し、サウナ運転スイッチ１６ｅが２回押されるとクリアミストサウナ運転を実行するように構成されている。また、暖房運転やサウナ運転など好みの温度設定にできるような温度設定スイッチ１６ｆや、吹出し口から吹出される風の向きを切り替えるための風向切り替えスイッチ１６ｇなどを備えている。
【００７７】
乾燥運転は、前記加温空気送風手段５ａを作動させ、加湿用熱動弁２８を閉状態に維持するよう作動させ、かつ浴室２内の温度が乾燥用の設定温度範囲に維持されるように、加温用熱動弁２０の開閉を制御して熱交換器１９に熱媒としての温水を循環供給するとともに、換気ファン１３を作動させて、浴室２内の空気の一部を吸引して排気ダクト１２を通して屋外に排気させながら、熱交換器１９により加温された空気が循環風路２１を通して吹出し口７から浴室２内に吹出すようにしている。
【００７８】
暖房運転は、換気ファン１３を停止させ、加湿用熱動弁２８を閉状態に維持するよう作動させ、かつ加温空気送風手段５ａを浴室２内に通風される空気の通風量が暖房用の通風量となるよう作動させるとともに、浴室２内の温度が設定温度に維持されるように、加温用熱動弁２０の開閉を制御して熱交換器１９に熱媒としての温水を循環供給し、この熱交換器１９により加温された空気が循環風路２１を通して吹出し口７から浴室２内に吹出すようにしている。
【００７９】
換気運転は、加温空気送風手段５ａを停止させ、加温用熱動弁２０を閉状態に維持するよう作動させ、かつ加湿用熱動弁２８を閉状態に維持するよう作動させるとともに、換気ファン１３を作動させ、浴室２内から吸引した空気を排気ダクト１２を通して屋外に排気するようにしている。
【００８０】
涼風運転は、加温用熱動弁２０を閉状態に維持するよう作動させ、かつ加湿用熱動弁２８を閉状態に維持するよう作動させ、加温空気送風手段５ａを作動させるとともに、換気ファン１３を作動させて、浴室２内の空気の一部を吸引して排気ダクト１２を通して屋外に排気させながら、熱交換器１９により加温することなく空気が循環風路２１を通して吹出し口７から浴室２内に吹出すようにしている。
【００８１】
サウナ運転は、遠隔操作装置１６のサウナ運転スイッチ１６ｅが１回押されるとミストサウナ運転を行い、サウナ運転スイッチ１６ｅが２回押されるとクリアミストサウナ運転を行う。
【００８２】
ミストサウナ運転は、換気ファン１３を停止させ、浴室内温度検出手段９により検出された浴室内温度、機体外温度検出手段１０により検出された機体外温度、余剰加湿水温度検出手段１１により検出された余剰加湿水温度に応じて、また、噴射温度センサ３１で検出した温度や浴室の床や壁面からの冷輻射の影響に応じて、加湿用熱動弁２８の開閉を制御させ、加湿手段４の給水調整弁３０ａ、給水調整弁３０ｂの開閉を制御させることで噴射ノズル２３ａおよび噴射ノズル２３ｂから水または温水の噴射が行われ、噴射された水または温水を水破砕手段２４である加湿空気送風手段５ｂに衝突させて破砕し、前記水破砕手段２４からの水滴群から大粒の水滴を気液分離手段であるエリミネータ２５により除去することで微細水滴を放出し、加温空気送風手段５ａを浴室２内に通風される加湿空気の通風量がサウナ運転用の通風量となるよう作動させるとともに、浴室２内の温度が設定温度に維持されるように、加温用熱動弁２０の開閉を制御して熱交換器１９に熱媒としての温水を循環供給し、この熱交換器１９と加湿手段４により加温および加湿された空気が循環風路２１を通して吹出し口７から浴室２内に吹出すようにしている。
【００８３】
クリアミストサウナ運転は、換気ファン１３を停止させ、加湿手段４の給水調整弁３０ａを閉状態を維持するよう動作させ、浴室内温度検出手段９により検出された浴室内温度、機体外温度検出手段１０により検出された機体外温度、余剰加湿水温度検出手段１１により検出された余剰加湿水温度に応じて、また、噴射水温センサ３１で検出した温度や浴室の床や壁面からの冷輻射の影響に応じて、加湿用熱動弁２８の開閉を制御させ、加湿手段４の給水調整弁３０ｂの開閉を制御させ、前記水破砕手段２４からの水滴群から大粒の水滴をエリミネータ２５により除去することで目に見えないほどの微細水滴を放出し、加温空気送風手段５ａを浴室２内に通風される加湿空気の通風量がサウナ運転用の通風量となるよう作動させるとともに、浴室２内の温度が設定温度に維持されるように、加温用熱動弁２０の開閉を制御して熱交換器１９に熱媒としての温水を循環供給し、この熱交換器１９と加湿手段４により加温および加湿された空気が循環風路２１を通して吹出し口７から浴室２内に吹出すようにしている。
【００８４】
サウナ装置の全体動作について、図２のフローチャートを参照しながら説明する。図２に示すように、前記遠隔操作装置１６からの指令に基づいて、乾燥運転、暖房運転、換気運転、涼風運転、サウナ運転の各々の運転を開始する。ステップＳ００１において、前記遠隔操作装置１６にて乾燥運転スイッチ１６ａが押されたかを判定し、押された場合にはステップＳ００２にて乾燥運転処理を行う。ステップＳ００１において、前記遠隔操作装置１６にて乾燥運転スイッチ１６ａが押されたかを判定し、押された場合にはステップＳ００２にて乾燥運転処理を行う。ステップＳ００３において、前記遠隔操作装置１６にて暖房運転スイッチ１６ｂが押されたかを判定し、押された場合にはステップＳ００４にて暖房運転処理を行う。ステップＳ００５において、前記遠隔操作装置１６にて換気運転スイッチ１６ｃが押されたかを判定し、押された場合にはステップＳ００６にて換気運転処理を行う。ステップＳ００７において、前記遠隔操作装置１６にて涼風運転スイッチ１６ｄが押されたかを判定し、押された場合にはステップＳ００８にて涼風運転処理を行う。ステップＳ００９において、前記遠隔操作装置１６にてサウナ運転スイッチ１６ｅが押されたかを判定し、押された場合にはステップＳ０１０にてサウナ運転処理を行う。
【００８５】
次に、サウナ運転処理について、図３のフローチャートを参照しながら説明する。図３に示すように、ステップＳ０１１において、機体外温度のデータを取り込みおよび保持し、浴室の床や壁面からの冷輻射の影響度合いを判断する機体外温度処理を行い、ステップＳ０１２において、サウナ運転を行った間隔により浴室全体が完全に温まるまで加湿を行わない、または寒く感じない程度に加湿を弱め、浴室の加温に重点をおいたサウナ起動制御の必要、不要を判断するサウナ運転間隔判定処理を行い、ステップＳ０１３において、サウナ準備が完了し、温度と湿度の調整を行う制御への移行を判定するサウナ準備完了判定処理を行い、ステップＳ０１４において、浴室内温度および機体外温度処理後の機体外温度に基づいて、浴室の温度と湿度が所定内、概ね温度が３５℃〜４５℃、湿度が７０％〜９５％に入るように調整を行う温度・湿度調節処理を行い、ステップＳ０１５において、サウナ運転の終了かを判定し、終了でないなら温度・湿度調節処理を行い、サウナ運転終了まで温度・湿度調節処理を継続する。
【００８６】
次に、機体外温度処理について、図４のフローチャートを参照しながら説明する。図４に示すように、ステップＳ０１６において、機体外温度データを一定時間保持するタイマがカウント中であるかを判定し、カウント中であるなら機体外温度データの取り込みはせずに機体外温度処理を終了する。カウント中でないなら、ステップＳ０１７において、機体外温度データを取り込み、その機体外温度データを一定時間保持するためのタイマのカウントを開始し、機体外温度処理を終了する。
【００８７】
次に、サウナ運転間隔判定処理について、図５のフローチャートを参照しながら説明する。図５に示すように、ステップＳ０１８において、前回のサウナ運転終了からの経過時間がＴ１未満、例えば３０分未満であるかを判定し、３０分以上であれば、浴室全体が冷えていると判定し、サウナ起動制御を行い、３０分未満である場合にはサウナ空間に近い状態と判定してサウナ起動制御は行なわずに終了する。
【００８８】
次に、サウナ起動制御処理について、図６のフローチャートを参照しながら説明する。図６に示すように、ステップＳ０２０において、加温用熱動弁２０、加湿用熱動弁２８を開状態に維持し、給水調整弁３０ａを閉状態に維持し、給水調整弁３０ｂを開状態に維持し、加温空気送風手段５ａを停止させ、水破砕手段２４を停止させる出力処理を行い、加湿を使用者が寒く感じない程度に抑え、浴室を加温するサウナ起動制御処理を行う制御時間、例えば２０分のタイマのカウントを開始する。次にステップＳ０２１において、制御時間の残り時間Ｔ２以上、例えば残り時間が１０分以上あり、かつ噴射水温センサ３１で検出した噴射水温がＴ３以上、例えば５５℃以上であるなら、制御時間を短縮すべく制御時間を、例えば１０分のタイマに切り替え、カウントを開始する制御時間更新処理を行い、噴射水温が５５℃未満であった場合には、制御時間更新処理は行わず、次のステップＳ０２３において、タイマのカウントが終了するまでステップＳ０２１、Ｓ０２２、Ｓ０２３を繰り返す。
【００８９】
次に、サウナ準備完了判定処理について、図７のフローチャートを参照しながら説明する。図７に示すように、ステップＳ０２４において、浴室内温度検出手段９により検出された浴室内温度がＴ４以上、例えば３０℃以上、かつ機体外温度検出手段１０により検出された機体外温度がＴ５以上、例えば５℃以上、かつ噴射水温センサ３１で検出された噴射水温がＴ６以上、例えば６０℃以上であるなら、サウナ準備完了であると判定し、サウナ準備完了判定処理を終了する。
【００９０】
次に、温度・湿度調節処理について、図８のフローチャートを参照しながら説明する。図８に示すように、ステップＳ０２５において、前記遠隔操作装置１６の温度設定スイッチ１６ｆにより温度設定変更があるかを判定し、温度設定変更がなければ浴室内の温度と湿度を制御すべく、浴室内温度、機体外温度、余剰加湿水温度に応じて、ステップＳ０２６にて加温用熱動弁２０、加湿用熱動弁２８、給水調整弁３０ａ、給水調整弁３０ｂ、加温空気送風手段５ａ、水破砕手段２４の出力について開閉やオンオフなどを制御する制御データ参照処理を行う。また、温度設定変更があれば、ステップＳ０２７において変更した温度設定の状態に早く近づけるための温度設定切替処理を行う。
【００９１】
前記制御データ参照処理にて参照される制御データについて表１、表２を参照しながら説明する。説明は前記ミストサウナ運転の場合で行う。表１は浴室の温度調節に関しての制御データであり、表１に示すように、機体外温度、浴室内温度に応じて加温用熱動弁２０と加温空気送風手段５ａの制御データが割り振られており、また、表２は浴室の湿度調節に関しての制御データであり、表２に示すように、機体外温度、余剰加湿水温度に応じて給水調整弁３０ａ、給水調整弁３０ｂ、加湿用熱動弁２８、水破砕手段２４の制御データが割り振られている。表１に浴室の温度調節に関しての制御データを示し、表２に浴室の湿度調節に関しての制御データを示す。
【００９２】
【表１】
2007097637.tif 000003
【００９３】
【表２】
2007097637.tif 000004
【００９４】
一例として、温度設定が中、浴室内温度が３７℃未満、機体外温度が１０℃未満、余剰加湿水温度が３４℃未満で温度・湿度調節処理に入った場合について説明を加えると、表１より加温用熱動弁２０が開、加温空気送風手段５ａへの回転数指令値が１７００ｒ／ｍｉｎ、表２より給水調整弁３０ａ、給水調整弁３０ｂ、加湿用熱動弁２８が開、水破砕手段２４が強という制御データが参照されることになる。表１、表２より例にあげた条件では浴室の加温、加湿がともに促進するデータであり、運転時間の経過にともない浴室の加温、加湿が進行し、浴室内温度、余剰加湿水温度が上昇した際には、順に加温、加湿を弱めるようなデータが参照されるようになっている。
【００９５】
前記温度設定切替処理にて参照される制御データについて表３を参照しながら説明する。表３は温度・調節処理中に温度設定が切り替えられた際に行われる温度設定切替処理に関しての制御データであり、表３に示すように、加温用熱動弁２０、加湿用熱動弁２８、水破砕手段２４の制御データが割り振られている。また、浴室の床や壁面からの冷輻射の影響度合いを、機体外温度に応じて制御時間が異ならせることで対応するものとなっている。表３に温度設定切替処理に関しての制御データを示す。
【００９６】
【表３】
2007097637.tif 000005
【００９７】
温度設定を上げた場合には、浴室の加温、加湿が促進するように加温用熱動弁２０、加湿用熱動弁２８が開、水破砕手段２４が強というデータが参照され、温度設定を下げた場合には、浴室の加温、加湿を弱めるように加温用熱動弁２０、加湿用熱動弁２８が開、水破砕手段２４が弱というデータが参照されるようになっている。
【００９８】
余剰加湿水温度保護について表２を参照しながら説明する。余剰加湿水は排水手段８により排水されるが浴室内の排水口に排水されるよう施工される場合があるため、前記温度・湿度調節制御の表２にて余剰加湿水温度が設定した温度である４６℃以上であれば給水調整弁３０ａ、給水調整弁３０ｂ、加湿用熱動弁２８を閉、水破砕手段２４を停止し、余剰加湿水温度が減少する制御データが参照され、新たに余剰加湿水温度の保護制御を用意することなく、温度・湿度調節処理と兼用される。
【００９９】
前記クリアミスト運転の場合においては、常に給水調整弁３０ａを閉状態に維持し、前記直接加湿手段４ａからの加湿が行われないようにし、その他は前記ミストサウナ運転と同様に図３、４、５、６、７、８を用いた説明で述べた各処理が行われる。
【０１００】
上記のようなサウナ装置にて運転することにより、湿度センサを使用することなく浴室内の温度と湿度を適切な状態とするよう制御することができ、また、浴室の床や壁面からの冷輻射の影響を防止して快適なサウナ空間とすることができ、さらに、使い勝手の面で、使用者の嗜好や気分、体調にあわせて浴室内の温度と湿度を制御できる。また、余剰加湿水温度の保護について温度・湿度調節処理と兼用できる為、簡便に行うことができる。
【０１０１】
なお、前記サウナ運転間隔判定処理では前回のサウナ運転終了からの経過時間によりサウナ起動制御処理の必要、不要を判定したが、浴室全体が完全に温まるまで加湿を行わない、または寒く感じない程度に加湿を弱め、浴室の加温に重点をおいたサウナ起動制御の必要、不要を判定できれば、判定条件はこの限りではなく、その作用効果に差異は生じない。
【０１０２】
なお、前記サウナ起動制御処理では噴射水温により起動制御の時間を変化させることとしたが、より早くサウナ運転の準備完了に近づく制御であれば、処理内容はこの限りではなく、その作用効果に差異は生じない。
【０１０３】
なお、前記サウナ準備完了判定処理では浴室内温度、機体外温度、噴射水温の条件でサウナ準備完了であることを判定したが、サウナ準備完了であることが判定できれば、判定条件はこの限りではなく、その作用効果に差異は生じない。
【０１０４】
なお、前記温度・調節処理では表１、表２に一例として、温度設定、機体外温度、浴室内温度、余剰加湿水温度を各３段階の制御データとしたが、何段階に切り分けたものであってもよく、その作用効果に差異は生じない。
【０１０５】
なお、余剰加湿水温度保護は設定した値で判定を行うものであったが、余剰加湿水温度の上昇速度で判定するものや設定した値との組合せで判定するものであってもよく、その作用効果に差異は生じない。
【０１０６】
また、本実施の形態において、サウナ運転でミストサウナ運転とクリアミストサウナ運転を行う為に、前記加湿手段４を直接加湿手段４ａ、微細水滴加湿手段４ｂ両方備えたが、サウナ運転をミストサウナ運転のみとした図９のような加湿手段４が直接加湿手段４ａのみとし、噴射手段２３である噴射ノズル２３ａより噴射された温水または水の一部を回収して筐体１の外部へ排水管３２を介して排出する排水手段８を備え、排水される温度を余剰加湿水温度として検出する構成であってもよく、その作用効果に差異は生じない。
【０１０７】
また、本実施の形態において、サウナ運転でミストサウナ運転とクリアミストサウナ運転を行う為に、前記加湿手段４を直接加湿手段４ａ、微細水滴加湿手段４ｂ両方備えたが、サウナ運転をクリアミストサウナ運転のみとした図１０のような加湿手段４が微細水滴加湿手段４ｂのみの構成であってもよく、その作用効果に差異は生じない。
【０１０８】
また、本実施の形態において、浴室内温度検出手段９、余剰加湿水温度検出手段１１は筐体１内にある構成となっているが、それぞれ浴室内温度、余剰加湿水温度を検出できればよく、その作用効果に差異は生じない。
【０１０９】
また、本実施の形態において、機体外温度検出手段１０は筐体１に着接されているとしたが、機体外温度を検出できれば浴室２の外壁に着接されていてもよく、その作用効果に差異は生じない。
【０１１０】
（実施の形態２）
また、本実施の形態１において、加温空気送風手段５ａと加湿空気送風手段５ｂを別個に設けた構成としたが、加温空気送風手段５ａと水破砕手段２４としての加湿空気送風手段５ｂを兼用し、加温加湿空気送風手段５ｃとした図１１のような構成としてもよい。実施の形態１での作用効果に加え、送風手段が１つでよいため、装置の小型化を実現できるという効果がある。
【産業上の利用可能性】
【０１１１】
本発明にかかるサウナ装置では、湿度センサを使用することなく浴室内の温度と湿度を適切な状態とするよう制御することができ、また、浴室の床や壁面からの冷輻射の影響を防止して浴室内の温度および湿度が適切な状態に維持されるよう制御することができ、さらに、使い勝手の面で、使用者の嗜好や気分、体調にあわせて浴室内の温度と湿度を制御できるものであり、浴室のみに限らず、ビニルハウスなど屋内にて温度と湿度の管理が必要とされる箇所へ使用される空気調和装置への用途にも適用できる。
【図面の簡単な説明】
【０１１２】
【図１】本発明の実施の形態１のサウナ装置の概念図
【図２】同サウナ装置の全体動作を示すフローチャート
【図３】同サウナ装置のサウナ運転動作の一例を示すフローチャート
【図４】同サウナ運転操作で行われる機体外温度処理を示すフローチャート
【図５】同サウナ運転操作で行われるサウナ運転間隔判定処理を示すフローチャート
【図６】同サウナ運転操作で行われるサウナ起動制御処理を示すフローチャート
【図７】同サウナ運転操作で行われるサウナ準備完了判定処理を示すフローチャート
【図８】同サウナ運転操作で行われる温度・湿度調節処理を示すフローチャート
【図９】同加湿手段を直接加湿手段のみとしたサウナ装置の概念図
【図１０】同加湿手段を微細水滴加湿手段のみとしたサウナ装置の概念図
【図１１】本発明の実施の形態２の加温空気送風手段と加湿空気送風手段を兼用したサウナ装置の概念図
【図１２】従来のサウナ装置の概念図
【符号の説明】
【０１１３】
１      筐体
２      浴室
３      加温手段
４      加湿手段
５ａ    加温空気送風手段
５ｂ    加湿空気送風手段
６      吸込み口
７      吹出し口
８      排水手段
９      浴室内温度検出手段
１０    機体外温度検出手段
１１    余剰加湿水温度検出手段
１２    排気ダクト
１３    換気ファン
１４    換気手段
１５    制御手段
１６    遠隔操作装置
１７    給湯機
１８    温水循環回路
１９    熱交換器
２０    加温用熱動弁
２１    循環風路
２２    給水手段
２３ａ  噴射ノズル
２３ｂ  噴射ノズル
２４    水破砕手段
２５    エリミネータ
２６    水等供給手段
２７    水熱交換器
２８    加湿用熱動弁
２９    給水管
３０ａ  給水調整弁
３０ｂ  給水調整弁
３１    噴射水温センサ
３２    排水管
【図１】
2007097637.tif 000006
【図２】
2007097637.tif 000007
【図３】
2007097637.tif 000008
【図４】
2007097637.tif 000009
【図５】
2007097637.tif 000010
【図６】
2007097637.tif 000011
【図７】
2007097637.tif 000012
【図８】
2007097637.tif 000013
【図９】
2007097637.tif 000014
【図１０】
2007097637.tif 000015
【図１１】
2007097637.tif 000016
【図１２】
2007097637.tif 000017